(57)【要約】【課題】比較的簡単な構成で、設置スペースの狭小化や装置本体の外観部分の簡素化を図ることのできるブック型ＰＣを提供する【解決手段】ブック型ＰＣとして構成される情報処理装置１は、ＡＣケーブル１７を備えるＡＣアダプタ１２と、このＡＣアダプタ１２を出し入れ自在に収容するアダプタ収容ケース３と、ＡＣアダプタ１２側から供給される直流電源の入力端子２０ａが搭載されたマザーボード２０を少なくとも収容する本体収容ケース２と、本体収容ケース２内に収容されたマザーボード２０上の入力端子２０ａ側とアダプタ収容ケース３内に収容されるＡＣアダプタ１２側とを、各収容ケースの外側から着脱自在に接続するＤＣケーブル１８とを備える。【選択図】図１
2006012094.tif 000002
【特許請求の範囲】
【請求項１】
交流電源入力用のケーブルが接続されたＡＣアダプタと、
このＡＣアダプタを出し入れ自在に収容する第１の収容部と前記ＡＣアダプタから供給される直流電源の入力端子が搭載された制御基板を少なくとも収容する第２の収容部とを備える筐体と、
前記第２の収容部内に収容された前記制御基板上の前記入力端子側と前記第１の収容部内に収容される前記ＡＣアダプタとを前記筐体の外側から接続する直流電源供給用のケーブルと
を具備することを特徴とする情報処理装置。
【請求項２】
前記ＡＣアダプタは、
前記交流電源入力用のケーブルが接続される第１の接続部と、
前記直流電源供給用のケーブルが接続される第２の接続部とをさらに有し、
前記第１の接続部および前記第２の接続部は前記ＡＣアダプタの本体を形成する面のうちの同一面に設けられることを特徴とする請求項１記載の情報処理装置。
【請求項３】
前記直流電源供給用のケーブルの各端部は、前記制御基板上の前記入力端子側と前記ＡＣアダプタ側とのそれぞれに対し着脱自在に接続されていることを特徴とする請求項１又は２記載の情報処理装置。
【請求項４】
前記直流電源供給用のケーブルは、
前記ＡＣアダプタが前記第１の収容部に収容されている状態にて使用される前記第１の直流電源供給用のケーブルおよび前記第１の直流電源供給用のケーブルよりも長さの長い第２の直流電源供給用のケーブルのうちの何れかのケーブルであることを特徴とする請求項３記載の情報処理装置。
【請求項５】
前記筐体は、前記制御部品収容部と前記アダプタ収容部とを分割可能な２ピース構造であることを特徴とする請求項３記載の情報処理装置。
【請求項６】
情報処理装置の筐体内に所定の収容口を通じて出し入れ自在に収容されるＡＣアダプタであって、
前記筐体内への収容状態で、前記筐体の前記収容口に臨む当該ＡＣアダプタ本体の一主面に、交流電源入力用のケーブル及び直流電源供給用のケーブルの各々の一端部が接続される被接続部を備えることを特徴とするＡＣアダプタ。
【請求項７】
前記直流電源供給用のケーブルは、前記ＡＣアダプタ本体に対し着脱自在に接続されることを特徴とする請求項６記載のＡＣアダプタ。
【発明の詳細な説明】
【技術分野】
【０００１】
本発明は、例えばパーソナルコンピュータ（以下「ＰＣ」と称する）等の情報処理装置、及びこの情報処理装置への直流電源の供給に用いられるＡＣアダプタに関する。
【背景技術】
【０００２】
近年の情報処理機器やデータ通信技術のめざましい発展に伴って、一般ユーザが用いるＰＣも多種多様の装置が開発されている。ＰＣでは、据置型や携帯型といった装置の仕様をとわず、設置スペースの狭小化や持ち運び性等の観点から、ＰＣ本体の小型化が絶えず求められている。
【０００３】
例えばノート型のＰＣの小型化を図った一例としては、筐体に設けられたバッテリパックの収納部をＡＣアダプタの収納部と共用できるように、ＡＣアダプタをバッテリパックとほぼ同一形状で形成することで、ＡＣアダプタを筐体内に挿入したかたちで使用できるようにしたＰＣが提案されている（例えば、特許文献１参照）。
【特許文献１】特開平５−３４２１６２号公報
【発明の開示】
【発明が解決しようとする課題】
【０００４】
また、上記したようなノート型ＰＣにのみならず、デスクトップタイプのＰＣの小型化を追求した、いわゆるブック型ＰＣ等も普及している。このブック型ＰＣやノート型ＰＣを例えばオフィスで使用すること等を考慮して、今日では、ＡＣ電源の差込口（コンセント）を机上に有する仕事机等も多く見受けられるようになってきている。そこで、このような形態で使用されるＰＣにおいて、電源ケーブルの引き回し等により机上を煩雑にすることなく、しかもＰＣ本体の設置面積の省スペース化を簡易的な構成で実現することへの要請がある。
【０００５】
本発明は、上記課題を解決するためになされたもので、比較的簡単な構成で、設置スペースの狭小化や装置本体の外観部分の簡素化を図れる情報処理装置及びＡＣアダプタの提供を目的とする。
【課題を解決するための手段】
【０００６】
上記目的を達成するために、本発明は、交流電源入力用のケーブルが接続されたＡＣアダプタと、このＡＣアダプタを出し入れ自在に収容する第１の収容部と前記ＡＣアダプタから供給される直流電源の入力端子が搭載された制御基板を少なくとも収容する第２の収容部とを備える筐体と、前記第２の収容部内に収容された前記制御基板上の前記入力端子側と前記第１の収容部内に収容される前記ＡＣアダプタとを前記筐体の外側から接続する直流電源供給用のケーブルとを具備することを特徴とする例えば情報処理装置である。
【発明の効果】
【０００７】
すなわち、本発明によれば、比較的簡単な構成で、設置スペースの狭小化や装置本体の外観部分の簡素化を図ることの可能な情報処理装置及びＡＣアダプタを提供することができる。
【発明を実施するための最良の形態】
【０００８】
以下、本発明を実施するための最良の形態を図面に基づき説明する。
図１は、本発明の実施形態に係る情報処理装置（ＡＣアダプタを装置内部に収容した使用形態）を示す図である。ここで、図１（ａ）は、この情報処理装置の正面図、図１（ｂ）は、その側面図である。また、図２は、この情報処理装置のＡＣアダプタを装置外部に配置した使用形態を示す側面図である。
【０００９】
図１（ａ）、（ｂ）及び図２に示すように、この実施形態の情報処理装置１は、デスクトップ型ＰＣの一つであるブック型ＰＣであって、その筐体は、本体収容ケース２とアダプタ収容ケース３とからなる例えば２ピース構造で構成されている。アダプタ収容ケース３は、情報処理装置１に駆動電源を供給するＡＣアダプタ１２を出し入れ自在に収容するアダプタ収容部３ａを備える。本体収容ケース２は、ＡＣアダプタ１２側から供給される直流電源の入力端子２０ａが搭載されたマザーボード２０を少なくとも収容する制御部品収容部２ａを備える。また、これらアダプタ収容ケース３及び本体収容ケース２は、ほぼ直方体形状にそれぞれ形成されている。アダプタ収容ケース３は、各側面の長辺を寝かせた姿勢で設置されている。一方、本体収容ケース２は、アダプタ収容ケース３の上部に載置され、当該ケース本体部分の各側面の長辺を起立させた姿勢で設置されている。
【００１０】
また、本体収容ケース２内のマザーボード２０上には、図１（ｂ）及び図２に示すように、ＣＰＵ（Central Processing Unit）２１及びメインメモリ２２が、それぞれ専用のメモリスロット又はＣＰＵソケットを介して着脱自在に装着されている。さらに、マザーボード２０上には、ノースブリッジやサウスブリッジ等からなる、いわゆるチップセット２３が実装されている。また、本体収容ケース２の背面部には、この本体収容ケース２の内部を冷却するための冷却ファン２４が設けられている。また、本体収容ケース２の表面には、複数の放熱穴１４が穿孔されている。
【００１１】
さらに、本体収容ケース２の前面には、図１（ａ）に示すように、情報処理装置１の主電源をＯＮ／ＯＦＦする電源スイッチ６、情報処理装置１の動作モード（例えばハードディスクアクセスの実行／非実行等）を可視的に表示するＬＥＤ群７、ＩＥＥＥ１３９４ポート１１、ＵＳＢ（Universal Serial Bus）ポート１０、及びイジェクトボタン９を近傍に備えるＰＣカードスロット８等が設けられている。また、本体収容ケース２には、外部記憶装置としてのハードディスクドライブや、図１（ａ）に示すように、例えばＤＶＤ−ＲＯＭドライブ等の光ディスクドライブ装置５が設けられている。
【００１２】
次に、本実施形態に係るＡＣアダプタ１２、このＡＣアダプタ１２に接続されるＤＣケーブル（交流電源供給用ケーブル）１７及びＡＣケーブル（直流電源出力用ケーブル）１８、並びにＡＣアダプタ１２を出し入れ自在に収容するアダプタ収容ケース３の構造について詳述する。
すなわち、アダプタ収容ケース３の前面、及び上面と側面とのコーナ部分には、ＡＣアダプタ１２の動作熱を放熱するための放熱穴１５（図１（ａ）参照）、及び放熱穴１６（図１（ｂ）、図２参照）が穿孔されている。また、アダプタ収容ケース３の背面（一主面）には、ＡＣアダプタ１２を内部に収容するための収容口３ｂが開口部として形成されている。さらに、アダプタ収容ケース３には、この収容口３ｂを閉塞するためのリアパネル１９が取り外し可能に取り付けられている。また、このリアパネル１９には、ＡＣケーブル１８及びＤＣケーブル１７をアダプタ収容ケース３内からケース外部へそれぞれ引き出すためのケーブル挿通部１９ａが設けられている。ここで、ケーブル挿通部１９ａは、例えばリアパネル１９に穿孔されたケーブル挿通用の孔である。
【００１３】
一方、直方体状のＡＣアダプタ１２には、アダプタ収容ケース３内への収容状態（図１（ｂ）参照）で、収容口３ｂに臨むＡＣアダプタ１２の本体の側面（一主面）１２ａに、ＡＣケーブル１７の一端部及びＤＣケーブル１８の一端部１８ａを接続する被接続部１２ｂ（図１（ｂ）、図２参照）が設けられている。ＡＣアダプタ１２のこのようなケーブルの接続構造は、上述したＡＣケーブル１８及びＤＣケーブル１７をアダプタ収容ケース３内からケース外部へ最短距離で引き出すために好適な構造であり、これにより、例えばケーブルの長さ等に起因する発熱を抑えることができる。
【００１４】
一方、図３に例示されるように、従来の多くの情報処理装置３１では、直方体状のＡＣアダプタ３３の互いに平行に配置される一組の側面に、ＡＣケーブル３４及びＤＣケーブル３５の各々の一端部３４ａ、３５ａが接続されている。このようにして情報処理装置３１の本体３２に電源を供給するケーブルの接続構造では、ケーブルの引き回しが長くなり、上記した発熱の課題に対して不利な構造であるといえる。
【００１５】
さらに、図３に示す情報処理装置３１では、ＡＣケーブル３４の一端部３４ａがＡＣアダプタ３３に対し着脱自在に接続されているものの、ＤＣケーブル３５の一端部３５ａは、ＡＣアダプタ３３に固定的に接続され、しかも、ＡＣアダプタ３３は、常に、情報処理装置３１の本体３２の外部に配置される構成が採られている。このような構造の場合、上記したようにケーブルの引き回しが煩雑に（長く）なる。
【００１６】
これに対して、本実施形態の情報処理装置１では、図１（ｂ）及び図２に示すように、ＤＣケーブル１８の一端部１８ａ及び他端部１８ｂが、マザーボード２０上の入力端子２０ａ側（本体収容ケース２）とＡＣアダプタ１２とのそれぞれに対し着脱自在に接続され、しかもＡＣアダプタ１２が筐体（アダプタ収容ケース３）内に収容されている。すなわち、本実施形態の情報処理装置１によれば、短い長さで構成されたＤＣケーブル１８を適用することで、電源ケーブルの引き回しを煩雑にすることなく、本体側へ電源の供給を実現する。また、このような構造は、ＡＣ電源の差込口（コンセント）を机上に有する仕事机等に情報処理装置１を設置する場合等に有用である。さらに、情報処理装置１によれば、ＡＣアダプタ１２を筐体内に収容可能なので、装置本体の運搬等が容易である。また、情報処理装置１では、電源の供給にＡＣアダプタを採用したことで、例えばＣＰＵ等を高スペックのものに変更して大容量の電力供給が必要になった場合等でも、ＡＣアダプタを他の仕様のものに変更するだけで迅速に対応を図ることができる。ここで、ＡＣアダプタ１２とＤＣケーブル１８との着脱部分の端子構造としては、端子部分の短絡のおそれ等を低減するために、ＤＣケーブル１８側を一対の突出したピン等の雄型形状とし、ＡＣアダプタ１２側を一対の孔等により構成した雌型形状とすること等が望ましい。また、ＤＣケーブル１８の他端部１８ｂは、本体収容ケース２に設けられた端子接続用の開口部等を介して、直接的にマザーボード２０上の入力端子２０ａに接続されるものであってもよいし、本体収容ケース２に設けられた中継用のコネクタ等を介して間接的に入力端子２０ａに接続されるものであってもよい。
【００１７】
また、本実施形態の情報処理装置１には、図１（ｂ）及び図２に示すように、上記ＤＣケーブル１８と長さの異なるケーブル、つまり、ＤＣケーブル１８よりも長いＤＣケーブル２５が用意されている。このＤＣケーブル２５は、図２に示すように、アダプタ収容ケース３よりＡＣアダプタ１２を取り出して、情報処理装置１の外部に配置する場合等に有用である。つまり、商用電源のコンセントが例えば情報処理装置１の設置場所より離れた位置にある場合（例えば机の下にコンセントがある場合）等に好適な使用形態となる。
【００１８】
したがって、このように構成された本実施形態の情報処理装置１によれば、比較的簡単な構成で、設置スペースの狭小化や装置本体の外観部分の簡素化を図ることができる。
【００１９】
以上、本発明を実施の形態により具体的に説明したが、本発明は前記実施形態にのみ限定されるものではなく、その要旨を逸脱しない範囲で種々変更可能である。例えば、上述した実施形態では、ＡＣアダプタ１２の本体の一側面１２ａに、ＡＣケーブル１７及びＤＣケーブル１８が共に接続されるものであったが、これに代えて、図４に示すように、直方体状のＡＣアダプタ４１の互いに平行に配置される一組の側面１２ａ、１２ｃに、ＡＣケーブル４２の一端部４２ａ及びＤＣケーブル２５の一端部２５ａ（又はＤＣケーブル１８の一端部１８ａ）がそれぞれ接続される構成を適用してもよい。この場合、ＡＣアダプタ４１をアダプタ収容ケース３内に収容し、さらにＤＣケーブル１８を接続する使用形態を選択することで、電源ケーブルの引き回しが煩雑になること等を抑制できる。
【００２０】
また、図５に示すように、アダプタ収容部３ａと制御部品収容部２ａとを単一の筐体内に備える１ピース構造のケース５２を持つ情報処理装置５１を構成してもよい。この場合、
例えば冷却ファン２４の空気の流路を、制御部品収容部２ａ側からアダプタ収容部３ａ側へと形成すること等で、動作時に発熱したＡＣアダプタ１２の冷却効果等を期待できる。
【図面の簡単な説明】
【００２１】
【図１】本発明の実施形態に係る情報処理装置（ＡＣアダプタを装置内部に収容した使用形態）を示す正面図及び側面図。
【図２】図１の情報処理装置のＡＣアダプタを装置外部に配置した使用形態を示す側面図。
【図３】従来の情報処理装置を背面側からみた斜視図。
【図４】図１の装置と異なる他の実施形態の情報処理装置のＡＣアダプタを装置外部に配置した使用形態を示す側面図。
【図５】図１及び図４の装置と異なる他の実施形態の情報処理装置（ＡＣアダプタを収容した使用形態）を示す正面図及び側面図。
【符号の説明】
【００２２】
１，５１…情報処理装置、２…本体収容ケース２、２ａ…制御部品収容部、２…本体収容ケース、３…アダプタ収容ケース、３ａ…アダプタ収容部、３ｂ…収容口、１２，４１…アダプタ、１２ａ，１２ｃ…側面、１２ｂ…被接続部、１７，４２…ＡＣケーブル、１８，２５…ＤＣケーブル、１９…リアパネル、１９ａ…ケーブル挿通部、２０…マザーボード、２０ａ…入力端子、５２…ケース。
【図１】
2006012094.tif 000003
【図２】
2006012094.tif 000004
【図３】
2006012094.tif 000005
【図４】
2006012094.tif 000006
【図５】
2006012094.tif 000007